(57)【要約】【課題】締結部材の締結力に起因する前側筐体の前面の窪みの発生を防止することが可能な表示装置を提供する。【解決手段】この液晶テレビジョン装置１００（表示装置）は、液晶パネル５０と、液晶パネル５０の外周部５０ａを取り囲むように配置された前側筐体２０と、ねじ部材９１を用いて前側筐体２０が取り付けられるボス３４を含む後側筐体３０とを備える。【選択図】図４
2015226266.tif 000002
【特許請求の範囲】
【請求項１】
表示部と、
前記表示部の外周部を取り囲むように配置された前側筐体と、
締結部材を用いて前記前側筐体が取り付けられる取付部を含む前側筐体取付部材とを備える、表示装置。
【請求項２】
前記表示部の表面に略平行な方向で、かつ、前記前側筐体の外側から内側に向かって挿入された前記締結部材が前記前側筐体取付部材の取付部に締結されることにより、前記前側筐体が前記前側筐体取付部材に取り付けられるように構成されている、請求項１に記載の表示装置。
【請求項３】
前記前側筐体取付部材は、前記前側筐体よりも後方に配置された後側筐体または表示装置本体内部に設けられた電子部品固定用のブラケット部材の少なくとも一方を含み、
前記取付部は、前記後側筐体または前記ブラケット部材の少なくとも一方に設けられている、請求項１または２に記載の表示装置。
【請求項４】
前記前側筐体取付部材は、前記前側筐体よりも後方に配置された後側筐体であり、
前記締結部材は、ねじ部材であり、
前記前側筐体は、ねじ部材挿通孔が設けられた取付片部を有し、
前側後側筐体は、前記前側筐体の取付片部が嵌め込まれる凹部を有し、
前記前側筐体の取付片部が前記後側筐体の凹部に嵌め込まれた状態で、前記ねじ部材が前記取付片部のねじ部材挿通孔に挿通されるとともに前記後側筐体の取付部に締め込まれるように構成されている、請求項１〜３のいずれか１項に記載の表示装置。
【請求項５】
前記後側筐体は樹脂製であり、
前記後側筐体の取付部は、前記ねじ部材の挿通方向に沿って前記凹部に隣接した状態で前記凹部と一体的に形成されている、請求項４に記載の表示装置。
【請求項６】
前記前側筐体取付部材は、前記前側筐体よりも後方に配置された後側筐体であり、
前記前側筐体および前記後側筐体は、互いに対向する前後方向に係合可能な第１係合部および第２係合部をそれぞれ含み、
前記前側筐体の第１係合部と前記後側筐体の第２係合部とが互いに係合した状態で、前記表示部の表面に略平行な方向で、かつ、前記前側筐体の外側から内側に向かって挿入された前記締結部材が前記後側筐体の取付部に締結されることにより、前記前側筐体が前記後側筐体に取り付けられるように構成されている、請求項１〜５のいずれか１項に記載の表示装置。
【請求項７】
前記第１係合部および前記第２係合部は、表示装置本体の上辺部および左右方向の側辺部に対応した前記前側筐体および前記後側筐体の部分にそれぞれ設けられており、
前記前側筐体の第１係合部と前記後側筐体の第２係合部とが前記上辺部および前記側辺部において互いに係合した状態で、前記表示装置本体の下辺部に対応した前記前側筐体の部分の外側から内側に向かって前記締結部材が挿入されて前記後側筐体の取付部に締結されるように構成されている、請求項６に記載の表示装置。
【発明の詳細な説明】
【技術分野】
【０００１】
この発明は、表示装置に関し、特に、表示部と前側筐体とを備えた表示装置に関する。
【背景技術】
【０００２】
従来、表示部と前側筐体とを備えた表示装置が知られている（たとえば、特許文献１参照）。
【０００３】
上記特許文献１には、液晶パネル（表示部）と、液晶パネルの外周部を取り囲む枠体状の前キャビネット（前側筐体）と、前キャビネットの背面側に配置される後キャビネット（後側筐体）とを備えた薄型液晶表示装置が開示されている。この特許文献１に記載の薄型液晶表示装置では、樹脂製の前キャビネットの裏側（内側）に、ねじ穴付きの筒状突起部が形成されている。また、後キャビネットには、ねじ部材（締結部材）が挿通されるねじ孔が形成されている。そして、ねじ部材が後キャビネットの外側から内側に向けてねじ孔に挿通された状態で前キャビネットのねじ穴に締め込まれることによって、後キャビネットが前キャビネットに取り付けられるように構成されている。
【先行技術文献】
【特許文献】
【０００４】
【特許文献１】特開２０１２−１７８５２２号公報
【発明の概要】
【発明が解決しようとする課題】
【０００５】
しかしながら、上記特許文献１に記載された薄型液晶表示装置では、ねじ部材の締付トルクが樹脂製の前キャビネット裏側のねじ穴に加えられるため、筒状突起部は、ねじ部材の締付方向に沿って捻じれるとともに、ねじ部材の軸方向に沿った引張り荷重を受ける。このため、筒状突起部の捻じれおよび引張りに起因して、前キャビネット（前側筐体）の前面側の樹脂表面が後方に窪んでしまい、前キャビネットの外観が損なわれてしまうという問題点がある。
【０００６】
この発明は、上記のような課題を解決するためになされたものであり、この発明の１つの目的は、締結部材の締結力に起因する前側筐体の前面の窪みの発生を防止することが可能な表示装置を提供することである。
【課題を解決するための手段】
【０００７】
この発明の一の局面による表示装置は、表示部と、表示部の外周部を取り囲むように配置された前側筐体と、締結部材を用いて前側筐体が取り付けられる取付部を含む前側筐体取付部材とを備える。
【０００８】
この発明の一の局面による表示装置では、上記のように、前側筐体と、締結部材を用いて前側筐体が取り付けられる取付部を含む前側筐体取付部材とを備えている。これにより、前側筐体を前側筐体取付部材に取り付けた際の締結部材の締結力は、前側筐体取付部材の取付部に加えられる。すなわち、締結部材の締結力が前側筐体に直接的に加わらないので、締結部材の締結力に起因して前側筐体に捻じれや引張りが生じず、前側筐体の前面表面は窪まない。この結果、締結部材の締結力に起因する前側筐体の前面の窪みの発生を防止することができ、表示装置の外観が損なわれるのを防止することができる。
【０００９】
上記一の局面による表示装置において、好ましくは、表示部の表面に略平行な方向で、かつ、前側筐体の外側から内側に向かって挿入された締結部材が前側筐体取付部材の取付部に締結されることにより、前側筐体が前側筐体取付部材に取り付けられるように構成されている。このように構成すれば、締結部材を後側筐体の後方から挿入して前側筐体のねじ穴などの締結部に取り付ける場合と異なり、容易に前側筐体とは異なる部材である前側筐体取付部材に、締結部材の取付部を設けることができる。
【００１０】
上記一の局面による表示装置において、好ましくは、前側筐体取付部材は、前側筐体よりも後方に配置された後側筐体または表示装置本体内部に設けられた電子部品固定用のブラケット部材の少なくとも一方を含み、取付部は、後側筐体またはブラケット部材の少なくとも一方に設けられている。このように構成すれば、締結部材の締結力を前側筐体以外の後側筐体またはブラケット部材に加えることができるので、前側筐体の前面の窪みの発生を防止しながら表示装置本体を容易に構成することができる。
【００１１】
上記一の局面による表示装置において、好ましくは、前側筐体取付部材は、前側筐体よりも後方に配置された後側筐体であり、締結部材は、ねじ部材であり、前側筐体は、ねじ部材挿通孔が設けられた取付片部を有し、後側筐体は、前側筐体の取付片部が嵌め込まれる凹部を有し、前側筐体の取付片部が後側筐体の凹部に嵌め込まれた状態で、ねじ部材が取付片部のねじ部材挿通孔に挿通されるとともに後側筐体の取付部に締め込まれるように構成されている。このように構成すれば、前側筐体の取付片部をねじ部材の頭部と後側筐体の凹部との間に位置ずれを起こすことなく挟み込んだ状態で、ねじ部材の締付トルクを後側筐体の取付部に加えることができる。その結果、ねじ部材の締め込みに起因して前側筐体が捻れて位置ずれを起こすことなく、前側筐体を後側筐体に対して固定することができる。
【００１２】
この場合、好ましくは、後側筐体は樹脂製であり、後側筐体の取付部は、ねじ部材の挿通方向に沿って凹部に隣接した状態で凹部と一体的に形成されている。このように構成すれば、後側筐体の凹部によって取付部を厚肉状に形成したことに起因する樹脂成形時のヒケの発生を抑制することができる。また、樹脂成形時のヒケを抑制するための凹部が、前側筐体の取付片部を後側筐体の取付部に取り付ける際の位置決め部としての役割を有するので、後側筐体に一体成形された取付部および凹部の位置関係を有効に利用して、前側筐体を後側筐体に取り付けることができる。
【００１３】
上記一の局面による表示装置において、好ましくは、前側筐体取付部材は、前側筐体よりも後方に配置された後側筐体であり、前側筐体および後側筐体は、互いに対向する前後方向に係合可能な第１係合部および第２係合部をそれぞれ含み、前側筐体の第１係合部と後側筐体の第２係合部とが互いに係合した状態で、表示部の表面に略平行な方向で、かつ、前側筐体の外側から内側に向かって挿入された締結部材が後側筐体の取付部に締結されることにより、前側筐体が後側筐体に取り付けられるように構成されている。このように構成すれば、締結部材による締結力（接合力）が前側筐体と後側筐体とが対向する前後方向に作用せず表示部の表面に略平行な方向に作用する場合であっても、第１係合部と第２係合部との前後方向に沿った係合構造によって、前側筐体と後側筐体とを前後方向に隙間が発生するのを抑制することができる。
【００１４】
この場合、好ましくは、第１係合部および第２係合部は、表示装置本体の上辺部および左右方向の側辺部に対応した前側筐体および後側筐体の部分にそれぞれ設けられており、前側筐体の第１係合部と後側筐体の第２係合部とが上辺部および側辺部において互いに係合した状態で、表示装置本体の下辺部に対応した前側筐体の部分の外側から内側に向かって締結部材が挿入されて後側筐体の取付部に締結されるように構成されている。このように構成すれば、表示装置本体の上辺部および側辺部において前側筐体と後側筐体とを互いに前後方向に隙間が発生するのを抑制することができるとともに、この状態で、表示装置本体の下辺部において前側筐体を後側筐体に容易に取り付けることができる。
【発明の効果】
【００１５】
本発明によれば、上記のように、締結部材の締結力に起因する前側筐体の前面の窪みの発生を防止することが可能な表示装置を提供することができる。
【図面の簡単な説明】
【００１６】
【図１】本発明の第１実施形態による液晶テレビジョン装置を前方側から見た斜視図である。
【図２】本発明の第１実施形態による液晶テレビジョン装置を後方側から見た斜視図である。
【図３】本発明の第１実施形態による液晶テレビジョン装置の部分的な構造を示した斜視図である。
【図４】本発明の第１実施形態による液晶テレビジョン装置の構造を示した断面図である。
【図５】本発明の第１実施形態による液晶テレビジョン装置を構成する前側筐体の構造を示した斜視図である。
【図６】本発明の第１実施形態による液晶テレビジョン装置を構成する後部筐体の構造を示した斜視図である。
【図７】本発明の第１実施形態による液晶テレビジョン装置の構造を示した断面図である。
【図８】本発明の第２実施形態による液晶テレビジョン装置の構造を示した断面図である。
【図９】本発明の第２実施形態による液晶テレビジョン装置を構成する前側筐体の構造を示した斜視図である。
【図１０】本発明の第２実施形態による液晶テレビジョン装置を構成する後部筐体の構造を示した斜視図である。
【図１１】本発明の第３実施形態による液晶テレビジョン装置の構造を示した分解斜視図である。
【図１２】本発明の第３実施形態による液晶テレビジョン装置の構造を示した断面図である。
【発明を実施するための形態】
【００１７】
以下、本発明を具体化した実施形態を図面に基づいて説明する。
【００１８】
（第１実施形態）
図１〜図７を参照して、本発明の第１実施形態による液晶テレビジョン装置１００の構造について説明する。なお、液晶テレビジョン装置１００は、本発明の「表示装置」の一例である。
【００１９】
本発明の第１実施形態による液晶テレビジョン装置１００は、図１に示すように、液晶パネル５０が内蔵された装置本体１０と、装置本体１０を下方（Ｚ２側）から支持するスタンド８０とを備えている。ここで、Ｙ１側が装置本体１０における前面側であり、Ｙ２側が後面（背面）側である。また、矢印Ｘ方向が、左右方向である。また、装置本体１０は、上辺部１０ａ（Ｚ１側）と、下辺部１０ｂ（Ｚ２側）と、側辺部１０ｃ（Ｘ１側）と、側辺部１０ｄ（Ｘ２側）とによって外形が矩形状に形成されている。なお、装置本体１０は、本発明の「表示装置本体」の一例である。また、液晶パネル５０は、本発明の「表示部」の一例である。
【００２０】
また、装置本体１０は、樹脂製の前側筐体（フロントキャビネット）２０と、樹脂製の後側筐体（リアキャビネット）３０とを備えている。具体的には、後側筐体３０が液晶パネル５０のＹ２側（後面側）に配置された状態で前側筐体２０がＹ１側（前面側）から液晶パネル５０の外周部５０ａを取り囲みながら後側筐体３０に対して嵌め込まれる。また、前側筐体２０が後側筐体３０に嵌め込まれた状態で、液晶パネル５０が内部に保持される。また、液晶パネル５０は、周状（矩形枠状）の外周部５０ａの内側に、映像（画像）が表示される表示領域５０ｂを有している。なお、後側筐体３０は、本発明の「前側筐体取付部材」の一例である。また、表示領域５０ｂは、本発明の「表示部の表面」の一例である。
【００２１】
前側筐体２０は、横方向（Ｘ方向）に沿って互いに平行に延びる一対の辺部と、縦方向（Ｚ方向）に沿って互いに平行に延びる一対の辺部とからなる額縁部２１によって、液晶パネル５０の外周部５０ａ（表示領域５０ｂ）を取り囲んでいる。また、前側筐体２０は、額縁部２１の外縁部から後方（矢印Ｙ２方向）に延びる枠状の側壁部２２をさらに有している。そして、額縁部２１の内周側に形成された矩形形状の開口部２１ａによって液晶パネル５０の表示領域５０ｂが塞がれることなく前面側（Ｙ１側）に露出するように構成されている。
【００２２】
後側筐体３０は、横方向（Ｘ方向）に沿って互いに平行に延びる一対の辺部と、縦方向（Ｚ方向）に沿って互いに平行に延びる一対の辺部とからなる周状（矩形枠状）の側壁部３１を有している。また、後側筐体３０は、側壁部３１を背面側で接続する平坦な後面部３２をさらに有している。
【００２３】
液晶パネル５０は、アレイ基板（図示せず）とカラーフィルタ基板（図示せず）との間に液晶層（図示せず）が挟み込まれた液晶セル５１を含む。また、液晶パネル５０は、フレキシブルプリント基板（図示せず）を介して液晶セル５１を駆動するための制御回路部（図示せず）に接続されている。また、液晶パネル５０の後方には、バックライト部（図示せず）と、バックライト部の熱を放熱するヒートシンク（図示せず）と、バックライト部の光を液晶セル５１の裏面側に導く導光板（図示せず）とがそれぞれ配置されている。
【００２４】
ここで、第１実施形態では、図２〜図４に示すように、前側筐体２０は、ねじ部材９１を用いて後側筐体３０に取り付けられている。この場合、装置本体１０の下辺部１０ｂに対応した前側筐体２０側から矢印Ｚ１方向に差し込まれたねじ部材９１が後側筐体３０側に締め込まれることにより、前側筐体２０が後側筐体３０に対して固定されるように構成されている。すなわち、ねじ部材９１の締め込みに伴う締付トルクは、前側筐体２０ではなく後側筐体３０に作用するように構成されている。したがって、前側筐体２０の額縁部２１などのＹ１側の表面には、ねじ部材９１の締め込みに伴う樹脂部材の捻れなどが全く生じず、凹凸などのない元々の外観が保たれている。以下に、具体的な構成を説明する。なお、ねじ部材９１は、本発明の「締結部材」の一例である。
【００２５】
まず、前側筐体２０を内側から見た場合、図５に示すように、前側筐体２０は取付片部２３を有している。取付片部２３は、下側（Ｚ２側）の側壁部２２の内側に樹脂成形されている。取付片部２３は、額縁部２１の裏側から空洞部２３ａを有して後方（矢印Ｙ２方向）に延びる箱状部２３ｂと、箱状部２３ｂの表面から後方（矢印Ｙ２方向）に延びる板状部２３ｃとを有している。また、板状部２３ｃには、厚み方向（Ｚ方向）に貫通する貫通孔２３ｄが形成されている。板状部２３ｃの先端の角部にはアールが設けられている。また、樹脂成形により、箱状部２３ｂのＺ２側の側面と側壁部２２とは一体化されている。なお、貫通孔２３ｄには、ねじ溝は設けられておらず、ねじ部材９１が単に挿通される。なお、取付片部２３は、下側（Ｚ２側）の側壁部２２の内側において４箇所に設けられている。取付片部２３は、スタンド８０（図１参照）を中心にしてＸ１側に２箇所、Ｘ２側に２箇所ずつ設けられている。なお、貫通孔２３ｄは、本発明の「ねじ部材挿通孔」の一例である。
【００２６】
また、後側筐体３０を内側から見た場合、図６に示すように、後側筐体３０は、矢印Ｚ１方向に延びるねじ穴３３が形成されたボス３４を有している。ボス３４は、後面部３２よりも厚みを増加させて柱状に形成されている。また、ボス３４は、Ｚ２側の側壁部３１近傍でかつ後面部３２の内側に配置されている。また、後側筐体３０は、側壁部３１の裏側から空洞部３５を有して横方向（矢印Ｚ１方向）に延びる凹部３６を有している。なお、凹部３６は、奥行寸法Ｌ１（図４参照）を有する。そして、ボス３４は、凹部３６の空洞部３５とは反対側（Ｚ１側）の表面から横方向（矢印Ｚ１方向）に延びている。また、ボス３４と凹部３６とは、後面部３２の内側に一体形成されている。なお、ボス３４は、後面部３２の内側において４箇所に設けられている。なお、ボス３４は、本発明の「取付部」の一例である。
【００２７】
そして、前側筐体２０を後側筐体３０に取り付ける際、各々の取付片部２３の板状部２３ｃが、対応するボス３４の凹部３６（空洞部３５）に対して矢印Ｙ２方向に沿ってそれぞれ挿入される。そして、この状態で、図３および図４に示すように、ねじ部材９１が前側筐体２０の外側から内側に向かって矢印Ｚ１方向に沿って貫通孔２３ｄに挿通される。そして、ねじ部材９１は、ボス３４のねじ穴３３に締め込まれる。これにより、前側筐体２０が後側筐体３０に固定されるように構成されている。すなわち、枠体形状の前側筐体２０と概略平板形状の後側筐体３０とが液晶パネル５０を前後から挟み込んだ状態で、前側筐体２０が後側筐体３０に対して４箇所でねじ部材９１により固定されるように構成されている。なお、ねじ部材９１は、液晶パネル５０の表面となる表示領域５０ｂに略平行な矢印Ｚ１方向に挿入される。これにより、前後方向に重なるように配置された前側筐体２０および後側筐体３０は、矢印Ｚ１方向に締め込まれたねじ部材９１によってＺ方向に締結されるように構成されている。
【００２８】
なお、図２および図３では、装置本体１０におけるＸ１側での前側筐体２０と後側筐体３０との取付構造を部分的に示している。また、装置本体１０のＸ２側（図１参照）においても、Ｘ１側の取付構造（図３参照）と同様の取付構造が適用されている。したがって、前側筐体２０は、左右それぞれ２本ずつのねじ部材９１を用いて後側筐体３０に対して取り付けられている。
【００２９】
なお、前側筐体２０と後側筐体３０とは、上記したねじ部材９１による固定構造に加えて、後側筐体３０の側壁部３１の一部が前側筐体２０の側壁部２２の内側に係合する構造を併せ持っている。また、この係合構造によって、前側筐体２０と後側筐体３０との前後方向の相対的な位置関係にがたつきが生じないように構成されている。
【００３０】
具体的には、図７に示すように、前側筐体２０は係合部２５を有している。係合部２５は、上辺部１０ａ（Ｚ１側）に対応する側壁部２２の部分から後方（矢印Ｙ２方向）に向かって突出している。また、係合部２５は、側辺部１０ｃ（Ｘ１側）に対応する側壁部２２の部分、および、側辺部１０ｄ（Ｘ２側）に対応する側壁部２２の部分から後方（矢印Ｙ２方向）に向かって突出している。また、各々の係合部２５は、係合爪２５ａを有している。なお、係合部２５は、図１に示すように、上辺部１０ａ、側辺部１０ｃおよび１０ｄの各々において２箇所ずつ設けられている。なお、係合部２５は、本発明の「第１係合部」の一例である。
【００３１】
また、図７に示すように、後側筐体３０は係合部３７を有している。係合部３７は、上辺部１０ａ（Ｚ１側）に対応する側壁部３１の部分から前方（矢印Ｙ１方向）に向かって突出している。また、係合部３７は、側辺部１０ｃ（Ｘ１側）に対応する側壁部３１の部分、および、側辺部１０ｄ（Ｘ２側）に対応する側壁部３１の部分から前方（矢印Ｙ１方向）に向かって突出している。また、各々の係合部３７は、係合爪３７ａを有している。なお、係合部３７は、図１に示すように、上辺部１０ａ、側辺部１０ｃおよび１０ｄの各々において２箇所ずつ設けられている。なお、係合部３７は、本発明の「第２係合部」の一例である。
【００３２】
そして、前側筐体２０を後側筐体３０に取り付ける際、前側筐体２０と後側筐体３０とを前後方向に重ね合せた状態で、係合部２５と係合部３７とを互いに係合させる。すなわち、係合爪２５ａと係合爪３７ａとが係り合う。これにより、前側筐体２０の後側筐体３０に対する前後方向（Ｙ方向）の位置が決定される。また、この際、図４に示すように、取付片部２３（板状部２３ｃ）を凹部３６（空洞部３５）に挿入する。そして、上述のように、ねじ部材９１を用いて前側筐体２０を後側筐体３０に対して固定する。これにより、ねじ部材９１による前側筐体２０と後側筐体３０との締結方向が液晶パネル５０の面内方向（Ｚ方向）であったとしても、前側筐体２０と後側筐体３０とは係合部２５と係合部３７との係合によってＹ方向に相対的な位置ずれを起こすことなく、固定状態が維持される。すなわち、前側筐体２０と後側筐体３０とは、前側筐体２０と後側筐体３０との間に隙間を有することなく互いに組み合わされる。このようにして、液晶テレビジョン装置１００は構成されている。
【００３３】
第１実施形態では、以下のような効果を得ることができる。
【００３４】
第１実施形態では、上記のように、前側筐体２０と、ねじ部材９１を用いて前側筐体２０が取り付けられるボス３４を含む後側筐体３０とを備えている。これにより、前側筐体２０を後側筐体３０に取り付けた際のねじ部材９１の締結力は、後側筐体３０のボス３４に加えられる。すなわち、ねじ部材９１の締結力が前側筐体２０に直接的に加わらないので、ねじ部材９１の締結力に起因して前側筐体２０に捻じれや引張りが生じず、前側筐体２０の額縁部２１などの表面（前面）は窪まない。この結果、ねじ部材９１の締結力に起因する前側筐体２０の額縁部２１の窪みの発生を防止することができ、液晶テレビジョン装置１００の外観が損なわれるのを防止することができる。
【００３５】
また、第１実施形態では、液晶パネル５０の表面となる表示領域５０ｂに略平行な方向（矢印Ｚ１方向）で、かつ、前側筐体２０の外側から内側に向かって矢印Ｚ１方向に挿入したねじ部材９１を後側筐体３０のボス３４に締結することにより、前側筐体２０を後側筐体３０に取り付けるように構成する。これにより、ねじ部材９１を後側筐体３０の後方から挿入して前側筐体２０のねじ穴に締め込む場合などとは異なり、容易に前側筐体２０とは異なる部材である後側筐体３０に、ねじ部材９１の取付部となるボス３４を設けることができる。
【００３６】
また、第１実施形態では、貫通孔２３ｄが設けられた取付片部２３を前側筐体２０に設けるとともに、前側筐体２０の取付片部２３（板状部２３ｃ）が嵌め込まれる凹部３６を後側筐体３０に設ける。そして、前側筐体２０の板状部２３ｃが後側筐体３０の凹部３６に嵌め込まれた状態で、ねじ部材９１を板状部２３ｃの貫通孔２３ｄに挿通するとともに後側筐体３０のボス３４のねじ穴３３に締め込むように構成する。これにより、前側筐体２０の板状部２３ｃ（取付片部２３）をねじ部材９１の頭部９１ａと後側筐体３０の凹部３６との間に位置ずれを起こすことなく挟み込んだ状態で、ねじ部材９１の締付トルクを後側筐体３０のボス３４に加えることができる。その結果、ねじ部材９１の締め込みに起因して前側筐体２０が捻れて位置ずれを起こすことなく、前側筐体２０を後側筐体３０に対して固定することができる。
【００３７】
また、第１実施形態では、後側筐体３０は樹脂製であり、後側筐体３０のボス３４を、ねじ部材９１の挿通方向に沿って凹部３６に隣接した状態で凹部３６と一体的に形成する。これにより、後側筐体３０の凹部３６によってボス３４を厚肉状に形成したことに起因する樹脂成形時のヒケの発生を抑制することができる。また、樹脂成形時のヒケを抑制するための凹部３６が、前側筐体２０の取付片部２３をボス３４に取り付ける際の位置決め部としての役割を有するので、後側筐体３０に一体成形されたボス３４および凹部３６の位置関係を有効に利用して、前側筐体２０を後側筐体３０に取り付けることができる。
【００３８】
また、第１実施形態では、前側筐体２０および後側筐体３０は、互いに対向する前後方向（Ｙ方向）に係合可能な係合部２５および係合部３７をそれぞれ有する。そして、係合部２５と係合部３７とを互いに係合させた状態で、液晶パネル５０の表面となる表示領域５０ｂに略平行な方向で、かつ、前側筐体２０の外側から内側に向かって挿入したねじ部材９１を後側筐体３０のボス３４に締結することにより、前側筐体２０を後側筐体３０に取り付けるように構成する。これにより、ねじ部材９１による締結力（接合力）が前側筐体２０と後側筐体３０とが対向する前後方向（Ｙ方向）に作用せず液晶パネル５０の表示領域５０ｂに略平行な方向（Ｚ方向）に作用する場合であっても、係合部２５と係合部３７との前後方向（Ｙ方向）に沿った係合構造によって、前側筐体２０と後側筐体３０とを前後方向に隙間が発生するのを抑制することができる。
【００３９】
また、第１実施形態では、装置本体１０の上辺部１０ａおよび左右方向の側辺部１０ｃおよび１０ｄに対応した前側筐体２０および後側筐体３０の部分に係合部２５および係合部３７をそれぞれ設ける。そして、係合部２５と係合部３７とを、上辺部１０ａおよび側辺部１０ｃおよび１０ｄにおいて互いに係合させた状態で、装置本体１０の下辺部１０ｂに対応した前側筐体２０の部分の外側から内側に向かってねじ部材９１を矢印Ｚ１方向に挿入して後側筐体３０のボス３４に締結するように構成する。これにより、装置本体１０の上辺部１０ａおよび側辺部１０ｃおよび１０ｄにおいて前側筐体２０と後側筐体３０とを互いに前後方向に隙間が発生するのを抑制することができるとともに、この状態で、装置本体１０の下辺部１０ｂにおいて前側筐体２０を後側筐体３０に容易に取り付けることができる。
【００４０】
（第２実施形態）
次に、図４および図８〜図１０を参照して、本発明の第２実施形態について説明する。この第２実施形態による液晶テレビジョン装置２００では、前側筐体２２０と後側筐体２３０とのねじ部材９１による取付構造が上記第１実施形態と若干異なる。なお、図中において、上記第１実施形態と同様の構成には、第１実施形態と同じ符号を付して図示している。なお、液晶テレビジョン装置２００は、本発明の「表示装置」の一例である。
【００４１】
本発明の第２実施形態による液晶テレビジョン装置２００は、図８に示すように、樹脂製の前側筐体２２０と、樹脂製の後側筐体２３０とを備えている。また、前側筐体２２０の下辺部２１０ｂ側から差し込まれたねじ部材９１が後側筐体２３０側に締め込まれることにより、前側筐体２２０が後側筐体２３０に対して固定されるように構成されている。なお、後側筐体２３０は、本発明の「前側筐体取付部材」の一例である。
【００４２】
まず、前側筐体２２０を内側から見た場合、図９に示すように、前側筐体２２０は、側壁部２２２の一部が後方に延びる取付片部２２３を有している。取付片部２２３は、側壁部２２２から後方（矢印Ｙ２方向）に延びる板状部２２３ｃを有している。また、板状部２２３ｃには、厚み方向（Ｚ方向）に貫通する貫通孔２２３ｄが形成されている。なお、取付片部２２３は、下側（Ｚ２側）の側壁部２２２の内側において４箇所に設けられている。なお、貫通孔２２３ｄは、本発明の「ねじ部材挿通孔」の一例である。
【００４３】
また、後側筐体２３０を内側から見た場合、図１０に示すように、後側筐体２３０は、Ｚ１方向に延びるねじ穴２３３が形成されたボス２３４を有している。ボス２３４は、Ｚ２側の側壁部２３１近傍でかつ後面部３２の内側に配置されている。また、後側筐体２３０は、側壁部２３１の裏側から空洞部２３５を有して横方向（矢印Ｚ１方向）に延びる凹部２３６を有している。そして、ボス２３４は、凹部２３６の空洞部２３５とは反対側の表面から横方向（矢印Ｚ１方向）に延びている。また、ボス２３４と凹部２３６とは、後面部３２の内側に一体形成されている。なお、ボス２３４は、後面部３２の内側において４箇所に設けられている。なお、図８に示すように、空洞部２３５の奥行寸法Ｌ２（Ｚ方向）は、空洞部３５の奥行寸法Ｌ１（図４参照）よりも小さい。なお、ボス２３４は、本発明の「取付部」の一例である。
【００４４】
また、図８に示すように、ボス２３４と後面部３２との間（Ｙ方向）には、Ｚ方向に延びる空洞部２３７が設けられている。すなわち、後面部３２に対するボス２３４のＹ方向に沿った形成位置は、後面部３２に対するボス３４（図４参照）のＹ方向に沿った形成位置よりも、より前側筐体２２０側である。なお、ボス２３４は、後面部３２の内側において４箇所に設けられている。
【００４５】
そして、前側筐体２２０を後側筐体２３０に取り付ける際、各々の取付片部２２３の板状部２２３ｃが、対応するボス２３４の凹部２３６（空洞部２３５）に対して矢印Ｙ２方向に沿ってそれぞれ挿入される。そして、この状態で、図８に示すように、ねじ部材９１が前側筐体２２０の外部から内部に向かって貫通孔２２３ｄに挿通されるとともに、ボス２３４のねじ穴２３３に締め込まれる。これにより、前側筐体２２０が後側筐体２３０に固定されるように構成されている。すなわち、枠体形状の前側筐体２２０と概略平板形状の後側筐体２３０とが液晶パネル５０を前後から挟み込んだ状態で、前側筐体２２０が後側筐体２３０に対して縁部の４箇所でねじ部材９１により固定されるように構成されている。なお、第２実施形態における液晶テレビジョン装置２００のその他の構成は、上記第１実施形態と同様である。
【００４６】
第２実施形態では、以下のような効果を得ることができる。
【００４７】
第２実施形態では、上記のように、前側筐体２２０と、ねじ部材９１を用いて前側筐体２２０が取り付けられるボス２３４を含む後側筐体２３０とを備えている。これにより、前側筐体２２０を後側筐体２３０に取り付けた際のねじ部材９１の締結力は、後側筐体２３０のボス２３４に加えられる。すなわち、ねじ部材９１の締結力が前側筐体２２０には加わらないので、ねじ部材９１の締結力に起因して前側筐体２２０に捻じれや引張りが生じない。この結果、ねじ部材９１の締結力に起因する前側筐体２２０の額縁部２２１の窪みの発生を防止することができ、液晶テレビジョン装置２００の外観が損なわれるのを防止することができる。
【００４８】
また、第２実施形態では、貫通孔２２３ｄが設けられた取付片部２２３を前側筐体２２０に設けるとともに、前側筐体２２０の取付片部２２３（板状部２２３ｃ）が嵌め込まれる凹部２３６を後側筐体２３０に設ける。そして、前側筐体２２０の板状部２２３ｃが後側筐体２３０の凹部２３６に嵌め込まれた状態で、ねじ部材９１を板状部２２３ｃの貫通孔２２３ｄに挿通するとともに後側筐体２３０のボス２３４のねじ穴２３３に締め込むように構成する。これにより、前側筐体２２０の板状部２２３ｃ（取付片部２２３）をねじ部材９１の頭部９１ａと後側筐体２３０の凹部２３６との間に位置ずれを起こすことなく挟み込んだ状態で、ねじ部材９１の締付トルクを後側筐体２３０のボス２３４に加えることができる。その結果、ねじ部材９１の締め込みに起因して前側筐体２２０が若干捻れて位置ずれを起こすことなく、前側筐体２２０を後側筐体２３０に対して固定することができる。なお、第２実施形態のその他の効果は、上記第１実施形態と同様である。
【００４９】
（第３実施形態）
次に、図１、図３、図１１および図１２を参照して、本発明の第３実施形態について説明する。この第３実施形態による液晶テレビジョン装置３００では、前側筐体３２０がスピーカホルダ６０にも締結される構造を有している。なお、図中において、上記第１実施形態と同様の構成には、上記第１実施形態と同じ符号を付して図示している。なお、液晶テレビジョン装置３００は、本発明の「表示装置」の一例である。また、スピーカホルダ６０は、本発明の「前側筐体取付部材」および「ブラケット部材」の一例である。
【００５０】
本発明の第３実施形態による液晶テレビジョン装置３００は、図１１に示すように、樹脂製の前側筐体３２０と、樹脂製の後側筐体３３０とを備えている。また、前側筐体３２０の下辺部３１０ｂ側から差し込まれたねじ部材９１（図３参照）が後側筐体３３０側に締め込まれることにより、前側筐体３２０が後側筐体３３０に対して固定されるように構成されている。この点については、上記第１実施形態における液晶テレビジョン装置１００（図１参照）と同様である。なお、後側筐体３３０は、本発明の「前側筐体取付部材」の一例である。
【００５１】
また、液晶テレビジョン装置３００は、音声を出力するスピーカ７０（図１２参照）を保持するためのスピーカホルダ６０が装置本体３１０の内部に組み込まれるように構成されている。なお、装置本体３１０は、本発明の「表示装置本体」の一例である。また、スピーカ７０は、本発明の「電子部品」の一例である。
【００５２】
ここで、第３実施形態では、図１２に示すように、前側筐体３２０は、ねじ部材９２を用いてスピーカホルダ６０に取り付けられている。この場合、前側筐体３２０側から差し込まれたねじ部材９２がスピーカホルダ６０側に締め込まれることにより、前側筐体３２０がスピーカホルダ６０に対して固定されるように構成されている。すなわち、ねじ部材９２の締め込みに伴う締付トルクは、前側筐体３２０ではなくスピーカホルダ６０に作用するように構成されている。なお、ねじ部材９２は、本発明の「締結部材」の一例である。
【００５３】
まず、前側筐体３２０を装置本体３１０の側方から矢印Ｘ１方向に沿って見た場合、前側筐体３２０は、所定形状に樹脂成形された取付片部３２３を有している。また、取付片部３２３は、板状部３２３ｃを有しており、板状部３２３ｃには、厚み方向（Ｚ方向）に貫通する貫通孔３２３ｄが形成されている。なお、貫通孔３２３ｄは、本発明の「ねじ部材挿通孔」の一例である。
【００５４】
また、スピーカホルダ６０を矢印Ｘ１方向に沿って見た場合、スピーカホルダ６０には、Ｚ１方向に延びるねじ穴６３が形成されたボス６４を有している。また、スピーカホルダ６０は、スピーカ７０（二点鎖線で外形を示す）を固定するための取付片６５を有している。ボス６４および取付片６５は、本体部６１に対して一体的に樹脂成形されている。なお、ボス６４は、本発明の「取付部」の一例である。
【００５５】
また、後側筐体３３０を矢印Ｘ１方向に沿って見た場合、後側筐体３３０は、後面部３２と側壁部３１との間から前方に延びる固定部３３１を有している。固定部３３１には複数のリブが形成されておりその強度が保たれている。また、図１１および図１２に示すように、固定部３３１のＹ１側の所定位置（先端部）には、Ｕ字状に切り欠かれた切欠部３３１ａが形成されている。
【００５６】
そして、第３実施形態では、装置本体３１０を組み立てる際、前側筐体３２０と後側筐体３３０との間にスピーカホルダ６０を挟み込んだ状態で、各々が相互に取り付けられるように構成されている。具体的には、図１２に示すように、ねじ部材９２が前側筐体３２０の外側から内側に向かって矢印Ｚ１方向に沿って板状部３２３ｃの貫通孔３２３ｄに挿通されるとともに、ボス６４のねじ穴６３に締め込まれる。この際、後側筐体３３０の固定部３３１の切欠部３３１ａが板状部３２３ｃとスピーカホルダ６０のボス６４（下端部６４ａ）との間に挟み込まれる。ねじ部材９２を締め込むことによって、頭部９２ａが板状部３２３ｃと固定部３３１とが、ボス６４の下端部６４ａに対して押圧される。このようにして、前側筐体３２０がスピーカホルダ６０に固定されるように構成されている。また、後側筐体３３０の固定部３３１も前側筐体３２０に対して固定される。
【００５７】
なお、第３実施形態における液晶テレビジョン装置３００のその他の構成は、上記第１実施形態と同様である。
【００５８】
第３実施形態では、以下のような効果を得ることができる。
【００５９】
第３実施形態では、上記のように、後側筐体３３０にボス３４（図４参照）を設けることに加えて、スピーカホルダ６０にもボス６４を設ける。そして、液晶パネル５０の表面となる表示領域５０ｂに略平行な方向で、かつ、下辺部３１０ｂにおいて前側筐体３２０の外側から内側に向かって挿入されたねじ部材９２がスピーカホルダ６０のボス６４に締結されることにより、前側筐体３２０がスピーカホルダ６０に取り付けられる。これにより、ねじ部材９２をスピーカホルダ６０の後方から挿入して前側筐体３２０のねじ穴に締め込む場合などと異なり、容易に前側筐体３２０とは異なる部材であるスピーカホルダ６０に、ねじ部材９２の取付部となるボス６４を設けることができる。
【００６０】
また、ねじ部材９２を液晶テレビジョン装置３００の前方から見えない下辺部３１０ｂの側に配置して、前側筐体３２０をスピーカホルダ６０に容易に取り付けることができる。すなわち、ねじ部材９２の頭部９２ａが前側筐体３２０の正面側（Ｙ１側）において露出しない分、装置本体３１０を前方から見た場合の液晶テレビジョン装置３００の外観が損なわれるのを防止することができる。なお、第３実施形態のその他の効果は、上記第１実施形態と同様である。
【００６１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００６２】
たとえば、上記第１〜第３実施形態では、表示装置の一例としての液晶テレビジョン装置１００〜３００に、本発明を適用した例について示したが、本発明はこれに限られない。たとえば、液晶テレビジョン装置以外のパーソナルコンピュータの液晶モニタなどの表示装置に対しても本発明を適用することが可能である。
【００６３】
また、上記第１〜第３実施形態では、液晶パネル５０を備えた液晶テレビジョン装置１００〜３００に本発明を適用した例について示したが、本発明はこれに限られない。液晶パネル以外のプラズマディスプレイパネルや有機ＥＬパネルなどを備えた表示装置に本発明を適用してもよい。
【００６４】
また、上記第１〜第３実施形態では、後側筐体３０〜３３０に柱状のボス３４および２３４を設けた例について示したが、本発明はこれに限られない。すなわち、ねじ部材９１を締め込むことが可能であれば、ボス形状（柱状）以外の形状を有するように、本発明の「取付部」を後側筐体３０〜３３０に設けてもよい。
【００６５】
また、上記第１〜第３実施形態では、装置本体１０（３１０）の下辺部１０ｂ（３１０ｂ）に対応した前側筐体２０（２２０、３２０）の部分の外側から内側に向かってねじ部材９１を矢印Ｚ１方向に挿入して後側筐体３０（２３０、３３０）のボス３４に締結するように構成した例について示したが、本発明はこれに限られない。たとえば、装置本体１０の側辺部１０ｃ（１０ｄ）に対応した前側筐体２０の部分の外側から内側に向かってねじ部材９１を矢印Ｘ２方向（矢印Ｘ１方向）に挿入して後側筐体３０の取付部に締結するように構成してもよい。
【００６６】
また、上記第１〜第３実施形態では、ねじ部材９１を用いて前側筐体２０（２２０、３２０）を後側筐体３０（２３０、３３０）に取り付けた例について示したが、本発明はこれに限られない。すなわち、本発明の「締結部材」は、ねじ部材９１以外であってもよい。たとえば、前側筐体側から挿入されたピン部材（締結部材）を後側筐体の取付部に係合させるようにして前側筐体を後側筐体に取り付けるようにしてもよい。この場合も、ピン部材の締結力が後側筐体に作用するので、ピン部材の締結力に起因して前側筐体の外観が損なわれるのを防止することができる。また、ピン部材を後側筐体の取付部に係合させる際に、接着剤などを用いてもよい。
【００６７】
また、上記第１〜第３実施形態では、前側筐体２０〜３２０および後側筐体３０〜３３０を共に樹脂製とした例について示したが、本発明はこれに限られない。前側筐体および後側筐体は、樹脂製以外であってもよい。
【００６８】
また、上記第３実施形態では、スピーカホルダ６０に前側筐体３２０を取り付けるためのボス６４を設けた例について示したが、本発明はこれに限られない。スピーカホルダ６０以外の電子部品固定用のブラケット部材に対して本発明の「取付部」を設けてもよい。
【符号の説明】
【００６９】
１０、３１０  装置本体（表示装置本体）
１０ａ  上辺部
１０ｂ、２１０ｂ、３１０ｂ  下辺部
１０ｃ、１０ｄ  側辺部
２０、２２０、３２０  前側筐体
２２、２２２  側壁部
２３、３２３  取付片部
２３ｃ、２２３ｃ、３２３ｃ  板状部
２３ｄ、２２３ｄ、３２３ｄ  貫通孔（ねじ部材挿通孔）
２５  係合部（第１係合部）
３０、２３０、３３０  後側筐体（前側筐体取付部材）
３１  側壁部
３２  後面部
３３、６３、２３３  ねじ穴
３４、６４、２３４  ボス（取付部）
３５  空洞部
３６  凹部
３７  係合部（第２係合部）
５０  液晶パネル（表示部）
５０ａ  外周部
５０ｂ  表示領域（表示部の表面）
６０  スピーカホルダ（前側筐体取付部材、ブラケット部材）
７０  スピーカ（電子部品）
９１、９２  ねじ部材（締結部材）
１００、２００、３００  液晶テレビジョン装置（表示装置）
【図１】
2015226266.tif 000003
【図２】
2015226266.tif 000004
【図３】
2015226266.tif 000005
【図４】
2015226266.tif 000006
【図５】
2015226266.tif 000007
【図６】
2015226266.tif 000008
【図７】
2015226266.tif 000009
【図８】
2015226266.tif 000010
【図９】
2015226266.tif 000011
【図１０】
2015226266.tif 000012
【図１１】
2015226266.tif 000013
【図１２】
2015226266.tif 000014